(57)【要約】【課題】おむつ交換がしやすい体位に人体を保持することのできる人体保持装置を提供する。【解決手段】人体保持装置１は、自立可能なスタンド１０と、両端部がそれぞれスタンド１０の上部に係止されて中央部分が下方に垂下するベルト部２０から構成される。スタンド１０は、被設置面に沿うように延出してスタンド１０を支持するベース部１１と、ベース部１１の上部に延出するスタンド本体１４と、スタンド本体１４の上部に設けられてベルト部２０の両端部と係止可能なフック１３を備えた吊り部１２から構成される。フック１３は、スタンド１０の重心位置を挟んでスタンド本体１４と反対側に位置する。【選択図】図１
2012152457.tif 000002
【特許請求の範囲】
【請求項１】
人体を保持することが可能な人体保持装置であって、
自立可能なスタンドと、両端部がそれぞれ前記スタンドの上部に係止されて中央部分が下方に垂下するベルト部とからなり、
前記スタンドは、前記スタンドの下方部分を構成する設置固定部と、前記設置固定部の上方に延出するスタンド本体と、前記スタンド本体の上部に設けられて前記ベルト部の両端部と係止可能な係止部とを備え、
前記係止部における前記ベルト部との係止箇所は、前記スタンドの重心位置を挟んで前記スタンド本体と反対側に位置する
ことを特徴とする人体保持装置。
【請求項２】
人体を保持することが可能な人体保持装置であって、
自立可能なスタンドと、両端部がそれぞれ前記スタンドの上部に係止されて中央部分が下方に垂下するベルト部とからなり、
前記スタンドは、前記スタンドの下方部分を構成する設置固定部と、前記設置固定部の上方に延出するスタンド本体と、前記スタンド本体の上部に設けられて前記ベルト部の両端部と係止可能な係止部とを備え、
前記係止部における前記ベルト部との係止箇所は、前記設置固定部の重心位置を挟んで前記スタンド本体と反対側に位置する
ことを特徴とする人体保持装置。
【請求項３】
請求項１または２に記載の人体保持装置であって、
前記設置固定部は、前記係止部の下方に着座した使用者の両足で、右側の端部および左側の端部をそれぞれ前記被設置面に押さえつけることができるように左右方向に延出する
ことを特徴とする人体保持装置。
【請求項４】
請求項１〜３のいずれか一項に記載の人体保持装置であって、
前記係止部における前記ベルト部との係止箇所は、前記設置固定部に囲まれる領域の鉛直方向上方に位置する
ことを特徴とする人体保持装置。
【請求項５】
請求項１〜４のいずれか一項に記載の人体保持装置であって、
前記ベルト部は、前記人体に接触するベルト本体部と、前記ベルト本体部の両端部に設けられて前記係止部に係合可能な被係止部とを有し、前記被係止部は軟性部材からなる
ことを特徴とする人体保持装置。
【発明の詳細な説明】
【技術分野】
【０００１】
本発明は、寝たきり老人や入院患者といった被介護者、および乳幼児のおむつ交換等を行う際に人体を保持する人体保持装置に関する。
【背景技術】
【０００２】
おむつ交換を行う者は、まず被介護者または乳幼児のおむつを取り外し、臀部等を拭いて新しいおむつを装着させる。このおむつ交換時には、被介護者または乳幼児の体位を安定させるために、多大な労力を払う必要があった。
【０００３】
そこで、従来、おむつ交換時に被介護者または乳幼児の体位を安定させる補助器具が考案されている。例えば、特許文献１に記載の補助器具は、乳幼児を仰臥状態に維持するベッドと、当該ベッドの短手方向に延びるベルトとを備え、使用者はベルトで乳幼児を保持することにより、おむつ交換時における乳幼児の動きを制限するようにしている。
【先行技術文献】
【特許文献】
【０００４】
【特許文献１】特開平１１−５６５８１
【発明の概要】
【発明が解決しようとする課題】
【０００５】
しかしながら、特許文献１に記載の補助器具では、乳幼児がベッドに仰臥した状態となるため、おむつ交換の際、乳幼児の臀部等をベッドから持ち上げる必要がある。このため、上記補助器具を用いておむつ交換を行う際には、使用者は未だ多大な労力を払う必要があった。
なお、この問題は、特許文献１に記載の補助器具に限られるものではなく、被介護者のおむつ交換等を行う際においても概ね共通したものとなっていた。
【０００６】
本発明は、上記従来技術の問題を解決するためになされたものであって、おむつ交換をしやすい体位に人体を保持することのできる人体保持装置を提供することを課題とする。
【課題を解決するための手段】
【０００７】
本発明の第一態様は、人体を保持することが可能な人体保持装置であって、自立可能なスタンドと、両端部がそれぞれ前記スタンドの上部に係止されて中央部分が下方に垂下するベルト部とからなり、前記スタンドは、前記スタンドの下方部分を構成する設置固定部と、前記設置固定部の上方に延出するスタンド本体と、前記スタンド本体の上部に設けられて前記ベルト部の両端部と係止可能な係止部とを備え、前記係止部における前記ベルト部との係止箇所は、前記スタンドの重心位置を挟んで前記スタンド本体と反対側に位置することを特徴とする。
なお、ベルト部はスタンドに着脱可能に係止されていることが好ましい。
【０００８】
このような構成（第一態様にかかる人体保持装置）によれば、ベルト部の中央部分、すなわち下方に垂下する部分に人体の胴部を保持して、当該ベルト部の両端部をスタンドの係止部にそれぞれ係止することで、人体をうつ伏せ状態に保持することができる。この際、人体の胴部の左右側がベルト部に挟まれるため、人体の左右方向への動きは抑制される。このため、おむつ交換等がしやすい体位に人体を保持することができるようになる。
また、係止部が、スタンドの重心位置を挟んでスタンド本体と反対側に位置するため、人体を保持したベルト部をスタンドに吊り掛けたときに、スタンドの重心位置がスタンド本体から離間する方向に変位するようになる。このため、スタンドがスタンド本体側に転倒することを抑制することができる。
【０００９】
本発明の第二態様は、人体を保持することが可能な人体保持装置であって、自立可能なスタンドと、両端部がそれぞれ前記スタンドの上部に係止されて中央部分が下方に垂下するベルト部とからなり、前記スタンドは、前記スタンドの下方部分を構成する設置固定部と、前記設置固定部の上方に延出するスタンド本体と、前記スタンド本体の上部に設けられて前記ベルト部の両端部と係止可能な係止部とを備え、前記係止部における前記ベルト部との係止箇所は、前記設置固定部の重心位置を挟んで前記スタンド本体と反対側に位置することを特徴とする。
なお、ベルト部はスタンドに着脱可能に係止されていることが好ましい。
【００１０】
設置固定部の重心位置は、スタンドの重心位置よりもスタンド本体から離間した位置に位置する。このため、このような構成（第二態様にかかる人体保持装置）によれば、人体を保持したベルト部をスタンドに吊り掛けてスタンドの重心位置が変位したときに、スタンドがスタンド本体側に転倒することをより確実に抑制することができる。
【００１１】
本発明の第三態様は、第一態様または第二態様にかかる人体保持装置であって、前記設置固定部は、前記係止部の下方に着座した使用者の両足で、右側の端部および左側の端部をそれぞれ前記被設置面に押さえつけることができるように左右方向に延出することを特徴とする。
【００１２】
このような構成（第三態様にかかる人体保持装置）によれば、設置固定部の右側の端部および左側の端部をそれぞれ各足で被設置面に押さえつけることができるため、スタンドが転倒することを抑制することができるようになる。
【００１３】
本発明の第四態様は、第一態様〜第三態様のいずれかにかかる人体保持装置であって、前記係止部における前記ベルト部との係止箇所は、前記設置固定部に囲まれる領域の鉛直方向上方に位置することを要旨とする。
【００１４】
このような構成（第四態様にかかる人体保持装置）によれば、設置固定部に囲まれた領域に人体を保持することができる。このため、使用者は設置固定部の両端部を各足で被設置面に押さえつけながら、ベルトに保持された人体のおむつを交換することができるようになる。
【００１５】
本発明の第五態様は、第一態様〜第四態様のいずれにかかる人体保持装置であって、前記ベルト部は、前記人体に接触するベルト本体部と、前記ベルト本体部の両端部に設けられて前記係止部に係合可能な被係止部を有し、前記被係止部は軟性部材からなることを要旨とする。
【００１６】
このような構成（第五態様にかかる人体保持装置）によれば、ベルト部を係止部から取り外したときに、被係止部が落下して人体に衝突した場合であっても、被係止部が軟性部材で形成されているので、人体に損傷を与えることを抑制することができるようになる。
【発明の効果】
【００１７】
本発明によれば、おむつ交換がしやすい体位に人体を保持することができる。
【図面の簡単な説明】
【００１８】
【図１】本発明の第一実施形態にかかる人体保持装置の概略構成図を示す斜視図。
【図２】第一実施形態にかかるスタンドの概略構成図を示す正面図。
【図３】（ａ）は、第一実施形態にかかるスタンドの側面図、（ｂ）は同実施形態にかかるスタンドの上面図。
【図４】第一実施形態にかかるベルトの斜視図。
【図５】（ａ）〜（ｄ）は、第一実施形態にかかる人体保持装置の使用状態を示す斜視図。
【図６】第一実施形態にかかる人体保持装置の使用状態を示す斜視図。
【図７】第二実施形態にかかる人体保持装置の概略構成図を示す斜視図。
【図８】第二実施形態にかかる人体保持装置の使用状態を示す正面図。
【図９】他の実施形態にかかる人体保持装置の使用状態を示す正面図。
【図１０】他の実施形態にかかるスタンドの側面図。
【発明を実施するための形態】
【００１９】
（第一実施形態）
以下、本発明を具体化した一実施形態を図１〜図６に基づいて説明する。
【００２０】
図１に示されるように、人体保持装置１は、スタンド１０と、スタンド１０に吊り掛けられるベルト部２０とを含んで構成される。スタンド１０は、被設置面に据え置かれるベース部１１（本発明の「設置固定部」に相当）と、ベース部１１から鉛直方向上方に延出するスタンド本体１４と、スタンド本体１４の上端部分からスタンド本体１４に直交する方向に延出する吊り部１２とを含んで構成される。なお、ベース部１１、スタンド本体１４および吊り部１２は、複数に分割された金属製パイプを組み立てて構成されている。
【００２１】
同図１および図２に示されるように、ベース部１１は、被設置面に沿うように被設置面に対して水平に形成されている。また、ベース部１１は、スタンド本体１４に接続する一対の基端部１１ａと、スタンド本体１４の中心線Ａを中心に左右方向に対称となるように基端部１１ａから延出する一対の側部１１ｂと、側部１１ｂ同士を接続する先端部１１ｃとにより形成されている。
【００２２】
側部１１ｂ同士のなす角度Ｘは、使用者がスタンド１０に向かって着座した際、各足で側部１１ｂをそれぞれ被設置面に押さえつけることができる角度に設定されている。
具体的には、角度Ｘは、９０〜１２０度の範囲が好ましい。より好ましくは、９５〜１１０度の範囲が好ましい。角度Ｘが１６０〜１８０度の範囲を超えると、操作性が悪化するとともに、使用者が各足で側部１１ｂをそれぞれ被接地面に押さえつけることが困難となってしまう。一方、角度Ｘが７０〜９０度の範囲を下回ると、ベース部１１が小さくなり、スタンド１０の安定性が悪化する。
【００２３】
スタンド本体１４は、ベース部１１の基端部１１ａから鉛直方向上方に向けて延出する一対の下部１４ａと、下部１４ａにそれぞれ接続される一対の上部１４ｂとにより形成される。上部１４ｂは、ベース部１１の先端部１１ｃの方向に屈曲するように下部１４ａに接続されている。
【００２４】
吊り部１２は、スタンド本体１４の上部１４ｂにそれぞれ接続され、上部１４ｂからベース部１１の先端部１１ｃの方向に延出する一対の側部１２ａと、側部１２ａ同士を接続する先端部１２ｂとにより形成されている。
【００２５】
吊り部１２の先端部１２ｂにはフック１３が左右方向（図２中の矢印方向）に回動可能に取り付けられている。フック１３は、直線形状をなす固定部１３ａと、固定部１３ａから延出して円弧状に湾曲する円弧部１３ｂとにより形成されている。固定部１３ａは左右方向に回動可能となるように吊り部１２の先端部１２ｂを上下方向に貫通している。円弧部１３ｂは固定部１３ａから鉛直方向下方に延出している。なお、本発明では、吊り部１２とフック１３とにより「係止部」が構成されている。
【００２６】
次に、図３（ａ）にスタンド１０の側面図、図３（ｂ）にスタンド１０を鉛直方向上方から見た上面図を示す。図３（ａ），（ｂ）に示されるように、吊り部１２は重力が作用する方向に対して直交するように形成されている。すなわち、ベース部１１が被設置面に対して水平であるときには、吊り部１２も被設置面に対して水平となるように形成される。また、上述したように、スタンド本体１４の下部１４ａはベース部１１から鉛直方向上方に延出しているとともに、上部１４ｂはベース部１１の先端部１１ｃの方向に屈曲するように下部１４ａに接続されている。
【００２７】
図３（ｂ）に、ベース部１１の外周、および両基端部１１ａを結んで形成される多角形Ｂを一点鎖線にて示すとともに、この多角形Ｂの重心位値Ｇ１を示す。なお、ベース部１１を構成する金属製パイプの重量にはばらつきがないため、多角形Ｂの重心位置Ｇ１は、多角形Ｂの図心と略一致する。
【００２８】
同図３（ｂ）に示されるように、吊り部１２の先端部１２ｂは、多角形Ｂの鉛直方向上方且つスタンド本体１４と重心位置Ｇ１を挟んで反対側の位置に設けられている。すなわち、本実施形態では、フック１３がスタンド本体１４と重心位置Ｇ１を挟んで反対側の位置に取り付けられている。
【００２９】
次に、図４を参照しながら乳幼児を保持するベルト部２０の詳細について説明する。同図４に示されるように、ベルト部２０は、乳幼児に接触する幅広形状の保持ベルト２１と、保持ベルト２１の両端部にそれぞれ逢着される接続ベルト２２と、接続ベルト２２に揺動可能に保持されるリング２３（本発明の「被係止部」に相当）を含んで構成される。保持ベルト２１、接続ベルト２２およびリング２３は布や皮革等の繊維素材、またはゴムやポリエチレン等の樹脂素材といった軟性素材により形成されている。なお、本発明では、保持ベルト２１と接続ベルト２２とにより「ベルト本体部」が構成されている。特に、リング２３は柔らかい素材により形成されている。
【００３０】
保持ベルト２１の短手方向の寸法は、保持ベルト２１に乳幼児を保持した状態でベルト部２０の両端部を持ち上げた際、乳幼児の胴部が安定して保持されるように、５〜１５ｃｍの範囲に設定されている。
【００３１】
接続ベルト２２の短手方向の寸法は、保持ベルト２１の短手方向の寸法よりも小さくなるように設定されている。そして、接続ベルト２２は、その一端が保持ベルト２１に逢着されており、他端が接続ベルト２２の他の部分に逢着されてループ状となっている。そして、このループ内に環状のリング２３が接続ベルト２２に対して揺動可能となるように挿通されている。
【００３２】
このリング２３をフック１３に引っ掛けることで、ベルト部２０をスタンド１０に吊り掛けることができる。また、リング２３には、それぞれ紐２５を介して留め具２４が揺動可能に設けられている。
【００３３】
ベルト部２０の長手方向の寸法は、ベルト部２０をフック１３に吊り掛けた状態で乳幼児を保持ベルト２１に保持させたときに乳幼児の足部が被設置面に接地できるように、スタンド本体１４の長手方向の寸法よりも小さくなるように設定されている。
【００３４】
次に、図５（ａ）〜（ｄ）を参照しながら人体保持装置１の使用方法について説明する。
図５（ａ）に示されるように、ベルト部２０はスタンド１０に着脱可能に取り付けられている。まず使用者は、フック１３に吊り掛けられているベルト部２０を取り外す。そして、図５（ｂ）に示されるように、保持ベルト２１を乳幼児の胴部と腕部との間、すなわち両脇部に通して、保持ベルト２１の中央部分に乳幼児を保持する。なお、この際、乳幼児の足部が被設置面に接地した状態で保持することが好ましい。
【００３５】
そして、図５（ｃ）に示されるように、乳幼児を保持ベルト２１の中央部分に保持した状態で、リング２３をそれぞれフック１３に引っ掛ける。上述したように、ベルト部２０の長手方向の寸法はベルト部２０をフック１３に吊り掛けたときに乳幼児の足部が被設置面に接地する寸法に予め設定されている。このため、乳幼児をベルト部２０に保持した際、乳幼児の足部が宙に浮かず、乳幼児の体位を安定な状態で保持し、乳幼児の動きを適切に制限することができる。
【００３６】
上述したように、フック１３は吊り部１２の先端部１２ｂに対して左右方向に回動可能に取り付けられている。そこで、使用者は、図５（ｄ）に示されるようにフック１３を回動させて、ベース部１１の先端部１１ｃの方向に乳幼児の臀部が向くようにする。このようにフック１３を回動することで乳幼児の体位を変更することができるため、使用者は乳幼児の体位をおむつ交換を行いやすい体位に容易に変更することができる。
【００３７】
そして、留め具２４を用いて乳幼児の衣服をめくりあげた状態に維持する。このように、留め具２４を用いて衣類をめくりあげた状態に維持することができるため、使用者は両手を用いておむつの交換をすることができる。
【００３８】
また、上述したように、スタンド本体１４の上部１４ｂが下部１４ａに対して屈曲して接続されているため、乳幼児をベルト部２０に保持した状態でベルト部２０をフック１３に吊り掛けた際、乳幼児と下部１４ａとの間には隙間ができる。このため、乳幼児の頭部がスタンド本体１４の下部１４ａに接触してしまうことは抑制される。
【００３９】
さらに、上述したようにリング２３が接続ベルト２２に揺動可能に挿通されているため、使用者は接続ベルト２２をリング２３に対して揺動させることにより、乳幼児の体位を上下方向に変更することができる。例えば、接続ベルト２２のリング２３に対する取り付け角度を水平に近づけることにより、ベルト部２０に保持された乳幼児の臀部を持ち上げることができる。この際、接続ベルト２２の短手方向の寸法は保持ベルト２１の短手方向の寸法よりも小さく設定されているため、保持ベルト２１を直接リング２３に接続した場合と比較すると、リング２３との間に発生する摩擦を低減することができる。
【００４０】
次に、図６を参照しながら人体保持装置１の使用方法を説明する。同図６に示されるように、使用者はフック１３の下部に着座し、ベース部１１の両側部１１ｂを両足で被設置面に押しつけてスタンド１０を安定した状態とした後、乳幼児を保持ベルト２１に保持する。そして、ベルト２０のリング２３をフック１３に吊り掛ける。
【００４１】
上述したように、ベース部１１の両側部１１ｂのなす角度Ｘは、フック１３の下方に着座した使用者が、両足を伸ばし、各足で被設置面に押さえつけることができる角度に設定されている。このように使用者が各足でベース部１１の各側部１１ｂをそれぞれ被設置面に押さえつけることで、スタンド１０が転倒することを抑制することができるようになる。使用者は、このようにベルト部２０に乳幼児を保持した状態で乳幼児のおむつを交換する。
【００４２】
上記実施形態によれば、以下に示す作用効果を奏することができるようになる。
（１）本実施形態によれば、保持ベルト２１に乳幼児の胴部を保持してリング２３をフック１３に吊り掛けることで、乳幼児をうつ伏せ状態のままベルト部２０に保持することができる。この際、乳幼児の胴部の左右側がベルト部２０に挟まれるため、乳幼児の左右方向への動きを制限することができる。このため、おむつ交換がしやすい体位に乳幼児を保持することができるようになる。
【００４３】
（２）本実施形態によれば、フック１３が多角形Ｂの重心位置Ｇ１を挟んでスタンド本体１４と反対側の位置に取り付けられているため、乳幼児を保持したベルト部２０をフック１３に吊り掛けたときに、スタンド１０の重心位置はスタンド本体１４の反対側に変位することとなる。このため、スタンド本体１４側にスタンド１０が転倒することを抑制することができる。したがって、図６に示されるように乳幼児を保持したときに、乳幼児の頭部方向に向けてスタンド１０が転倒することを抑制することができるようになる。
【００４４】
なお、図３（ａ）に、スタンド本体１４および吊り部１２を含めたスタンド１０の側面投影形状の重心位置Ｇ２を示す。同図３（ａ）に示されるように、重心位置Ｇ２は、重心位置Ｇ１よりもスタンド本体１４側に位置する。本実施形態では、フック１３の取り付け位置を重心位置Ｇ１を挟んでスタンド本体１４の反対側に設定しているため、重心位置Ｇ２を挟んでスタンド本体１４の反対側に設定したときと比較して、より確実にスタンド１０がスタンド本体１４側に転倒することを抑制することができるようになる。
【００４５】
（３）使用者がベース部１１の各側部１１ｂを各足で被設置面に押さえつけることができるため、スタンド１０が転倒することを抑制することができる。
【００４６】
（４）ベルト部２０の長手方向の寸法は、吊り部１２に吊り掛けられた状態で乳幼児の足部が被設置面に接地する寸法に設定されている。このため、乳幼児の足部が被設置面に接地した状態でおむつ交換をすることができる。したがって、乳幼児をベルト部２０に安定した状態で保持することができるようになる。
【００４７】
（５）リング２３が布や皮革等の繊維素材、またはゴムやポリエチレン等の樹脂素材といった軟性素材により形成されているため、使用中にリング２３が落下して乳幼児に衝突した場合であっても、乳幼児が負傷することを抑制することができる。
【００４８】
（６）留め具２４を用いて乳幼児の衣類をめくりあげた状態に維持することができるため、使用者は両手を用いておむつ交換をすることができる。
【００４９】
（第二実施形態）
以下、本発明を具体化した第二実施形態を上記第一実施形態と異なる点を中心に図７および図８に基づいて説明する。なお、これら図７および図８において、第一実施形態にて説明した各要素と同一の要素についてはそれぞれ同一の符号を示しており、それら要素についての重複する説明は割愛する。
【００５０】
第一実施形態では、一対の留め具２４を、リング２３に取り付けられた一対の紐２５の端部にそれぞれ取り付けるようにした。本実施形態では、図７に示されるように、吊り部１２に接続部材２９を吊り下げ、この接続部材２９の端部に留め具２４を取り付けるようにしている。また、接続部材２９は、使用者がスタンド本体１４に向かってフック１３の下方に着座した際、使用者から向かってフック１３の右側となる位置に取り付けられている。
【００５１】
接続部材２９は、リング２７と、接続紐２６および一対の保持紐２８により構成されている。保持紐２８は、一端がリング２７に取り付けられており、他端には留め具２４が取り付けられている。接続紐２６は一端がリング２７に取り付けられており、他端はループ形状を呈している。接続紐２６のループ内に吊り部１２が貫通することにより、接続部材２９は吊り部１２に吊り下げられる。なお、接続部材２９は、吊り部１２に対して着脱可能となっている。
【００５２】
図８に示されるように、使用者は、乳幼児を保持したベルト部２０をフック１３に吊り下げて、乳幼児の臀部が向かって右側に向くようにする。そして、使用者は、接続紐２６を吊り部１２の適当な位置まで移動させ、留め具２４で乳幼児の衣類をめくり上げた状態に維持し、乳幼児のおむつを交換する。
【００５３】
上記実施形態によれば、以下に示す作用効果を奏することができるようになる。
（７）留め具２４を取り付ける紐等をリング２３に取り付けると、乳幼児をベルト部２０に保持する際、その紐が邪魔になって、ベルト部２０の操作性が悪化することがある。この点、本実施形態によれば、接続部材２９は吊り部１２に取り付けられているため、乳幼児をベルト部２０に保持する際、接続部材２９が邪魔になって、ベルト部２０の操作性が悪化することを抑制することができる。
【００５４】
なお、本発明は、上記実施形態に限定されるものではなく、本発明の趣旨に適合し得る範囲で必要に応じて種々の変更を加えて実施することも可能であり、それらはいずれも本発明の技術的範囲に含まれる。また以下の各変形例は、上記実施形態についてのみ適用されるものではなく、異なる変形例同士を互いに組み合わせて実施することもできる。
【００５５】
・上記第一実施形態では、乳幼児の臀部がベース部１１の先端部１１ｃに向くようにしたが、本発明はこれに限られるものではない。例えば、図９に示されるように、第一実施形態における人体保持装置１においても、ベース部１１の側部１１ｂのうち一方の側部１１ｂに乳幼児の臀部が向くとともに、他方の側部１１ｂに頭部が向くようにしてもよい。この際、使用者が右利きである場合は、使用者がスタンド本体１４に向かってフック１３の下方に着座した際、使用者から向かってフック１３の右側に乳幼児の臀部が向くようにすることが好ましい。本変形例によれば、使用者は、左手を用いて乳幼児の上半身を保持するとともに、右手を用いて乳幼児の臀部を拭くことができる。このため、使用者は、乳幼児を安定な体勢に保持するとともに乳幼児のおむつを交換することができるようになる。
また、使用者が左利きである場合は、使用者は、スタンド本体１４に向かってフック１３の下方に着座し、使用者から向かって左側に乳幼児の臀部を向かせて、おむつ交換を行うことができる。
【００５６】
・上記実施形態では、スタンド本体１４の下部１４ａは鉛直方向上方に延出するようにしたが、本発明はこれに限られるものではない。例えば、図１０に示されるように、スタンド本体１４の下部１４ａは、ベース部１１の先端部１１ｃの反対側の方向に湾曲するようにしてもよい。本変形例によれば、ベルト部２０とスタンド本体１４との間の距離が大きくなるため、乳幼児がベルト部２０に保持された際、スタンド本体１４に接触することを抑制することができる。
【００５７】
・上記実施形態では、ベルト部２０の長手方向の寸法を予め設定していたが、本発明はこれに限られるものではなく、接続ベルト２２の長さを可変とする調整部材を接続ベルト２２に取り付け、接続ベルト２２の長手方向の寸法、ひいてはベルト部２０の長手方向の寸法を変更するようにしてもよい。本変形例によれば、乳幼児の身長に応じてベルト部２０の長手方向の寸法を変更することができるようになる。
【００５８】
・上記実施形態では、スタンド本体１４の上部１４ｂが下部１４ａに対して屈曲するようにしたが、本発明のスタンド本体１４の形状はこれに限られるものではなく、スタンド本体１４は直線形状を呈するようにしてもよい。
【００５９】
・上記実施形態では、フック１３を多角形Ｂの重心位置Ｇ１を挟んでスタンド本体１４の反対側に設けるようにしたが、本発明のフック１３の位置はこれに限られるものではない。例えば、重心位置Ｇ２を挟んでスタンド本体１４と反対側の位置に設けるようにしてもよい。
【００６０】
・上記実施形態では、ベース部１１は多角形Ｂの外郭要素のみから構成するようにしたが、本発明のベース部１１はこれに限られるものではなく、外郭の内部に他の構成要素を有していてもよい。例えば、中実状、あるいは外郭の内部に格子状のパイプ部材を有する構成としてもよい。本変形例によれば、ベース部１１が所定の重量を有するため、スタンド１０が転倒することをより好的に抑制することができるようになる。
【００６１】
・上記実施形態では、スタンド１０を金属製パイプにより形成するようにしたが、本発明のスタンド１０はこれに限られるものではなく、シリコーン樹脂やフッ素樹脂、ポリエチレン等の樹脂素材により形成してもよい。
【００６２】
・上記実施形態では、ベルト部２０とスタンド１０とを着脱可能な別部材としたが、本発明はこれに限られるものではなく、ベルト部２０とスタンド１０とを一体形成してもよい。また、上記実施形態では、フック１３と吊り部１２とを着脱可能な別部材としたが、本発明はこれに限られるものではなく、フック１３と吊り部１２とを一体形成してもよい。
【００６３】
・上記実施形態では、スタンド１０にフック１３を設けるとともにベルト部２０にリング２３を設け、両者を着脱可能としていたが、本発明はこれに限られるものではなく、スタンド１０にリング２３を設けるとともにベルト部２０にフック１３を設けるようにしてもよい。または、スタンド１０およびベルト部２０に互いに係合可能なリングを設けるようにしてもよい。
【００６４】
・上記実施形態では、複数に分割された金属製パイプを組み立てることによりスタンド１０を構成するようにしたが、本発明はこれに限られるものではなく、スタンド１０を一体形成するようにしてもよい。
【００６５】
・上記実施形態では、フック１３が多角形Ｂの鉛直方向上方に位置するようにしたが、本発明のフック１３の位置はこれに限られるものではなく、多角形Ｂの鉛直方向上方の外部に位置するようにしてもよい。
【００６６】
・上記第二実施形態では、使用者がスタンド本体１４に向かってフック１３の下方に着座した際、使用者から向かってフック１３の右側となる位置に接続部材２９を取り付けるようにしたが、接続部材２９の取り付け位置はこれに限られるものではなく、使用者が左利きである場合は、使用者から向かって左側に接続部材２９を取り付ける等、必要に応じて適宜変更してもよい。
【００６７】
・上記実施形態では、乳幼児のおむつ交換の際に人体保持装置１を使用するようにしたが、寝たきり老人または入院患者等の要介護者のおむつ交換の際に人体保持装置１を使用するようにしてもよい。
【００６８】
・上記実施形態では、乳幼児のおむつ交換の際に人体保持装置１を使用するようにしたが、乳幼児の人体を布等で洗浄する際に人体保持装置１を使用するようにしてもよい。また、風呂に入れない要介護者の人体を拭く際に、人体保持装置１を使用するようにしてもよい。
【符号の説明】
【００６９】
１…人体保持装置
１０…スタンド
１１…ベース部
１１ａ…基端部
１１ｂ…側部
１１ｃ…先端部
１２…吊り部
１２ａ…側部
１２ｂ…先端部
１３…フック
１３ａ…固定部
１３ｂ…円弧部
１４…スタンド本体
１４ａ…下部
１４ｂ…上部
２０…ベルト部
２１…保持ベルト
２２…接続ベルト
２３…リング
２４…留め具
２５…紐
２６…接続紐
２７…リング
２８…保持紐
２９…接続部材
【図１】
2012152457.tif 000003
【図２】
2012152457.tif 000004
【図３】
2012152457.tif 000005
【図４】
2012152457.tif 000006
【図５】
2012152457.tif 000007
【図６】
2012152457.tif 000008
【図７】
2012152457.tif 000009
【図８】
2012152457.tif 000010
【図９】
2012152457.tif 000011
【図１０】
2012152457.tif 000012